(57)【要約】【課題】  二次電池を電源とする懐中電灯として使用可能な照明器具を提供する。【解決手段】  電気的な光源１１と二次電池１２とを有する電池ブロック１と、電池ブロック１が着脱自在に接続される固定ブロック２と、固定ブロック２に代えて電池ブロック１に着脱自在に接続され二次電池１２を電源として光源１１を点灯させる代替ブロック３とを備える。固定ブロック２から取り外された電池ブロック１に代替ブロック３を接続したものを、二次電池１２を電源として光源１１を点灯させる懐中電灯として使用することができる。【選択図】図１
2013218854.tif 000002
【特許請求の範囲】
【請求項１】
電気的な光源と二次電池とを有する電池ブロックと、
前記電池ブロックが着脱自在に接続される固定ブロックとを備え、
前記固定ブロックは、交流電力が外部から入力されていて且つ前記電池ブロックが接続されている期間中は前記二次電池を充電する充電回路と、前記充電回路への前記交流電力の入力が停止されていて且つ前記電池ブロックが接続されている期間中は前記二次電池を電源として前記光源を点灯させる切替回路とを有し、
前記電池ブロックに着脱自在に接続され前記二次電池を電源として前記光源を点灯させる代替ブロックを備えることを特徴とする照明器具。
【請求項２】
電気的な光源と、
二次電池を有する電池ブロックと、
前記電池ブロックが着脱自在に接続される固定ブロックと、
前記電池ブロックに着脱自在に接続される代替ブロックとを備え、
前記固定ブロックは、交流電力が外部から入力されていて且つ前記電池ブロックが接続されている期間中は前記二次電池を充電する充電回路と、前記充電回路への前記交流電力の入力が停止されていて且つ前記電池ブロックが接続されている期間中は前記二次電池を電源として前記光源を点灯させる切替回路とを有し、
前記代替ブロックは、前記電池ブロックに接続された状態で前記二次電池を電源として点灯する代替光源を有することを特徴とする照明器具。
【請求項３】
前記固定ブロックは、前記充電回路と前記切替回路とを保持し前記電池ブロックが前記充電回路と前記切替回路とに接続された状態で収納される収納凹部を有するベースと、前記収納凹部に対する前記電池ブロックの出し入れを可能とする開位置と前記収納凹部からの前記電池ブロックの脱落を禁止する閉位置との間で前記ベースに対して変位可能なカバーと、光源の光を少なくとも減衰させる材料からなり前記カバーが閉位置にあるときには前記収納凹部内に収納され前記カバーが開位置にあるときに前記収納凹部内から突出する遮光体とを有することを特徴とする請求項１又は請求項２記載の照明器具。
【請求項４】
前記固定ブロックは、前記充電回路と前記切替回路とを保持し前記電池ブロックが前記充電回路と前記切替回路とに接続された状態で収納される収納凹部を有するベースと、前記収納凹部に対する前記電池ブロックの出し入れを可能とする開位置と前記収納凹部からの前記電池ブロックの脱落を禁止する閉位置との間で前記ベースに対して変位可能なカバーとを備え、
前記代替ブロックは、前記電池ブロックとともに前記収納凹部内に収納可能な寸法形状とされていることを特徴とする請求項１〜３のいずれか１項に記載の照明器具。
【発明の詳細な説明】
【技術分野】
【０００１】
本発明は、照明器具に関するものである。
【背景技術】
【０００２】
従来から、二次電池を備え、通常は商用電源からの電力で二次電池を充電し、停電時は二次電池を電源として光源を点灯させる照明器具（いわゆる非常灯）が提供されている（例えば、特許文献１参照）。
【先行技術文献】
【特許文献】
【０００３】
【特許文献１】実開平７−１６３１３号公報
【発明の概要】
【発明が解決しようとする課題】
【０００４】
上記従来の照明器具は、埋込配設等によって建物に固定されて使用されるものであり、二次電池を電源とした点灯が可能ではあるが懐中電灯としての用途は想定されていない。
【０００５】
しかしながら、地震災害などによる停電時には、非常灯が配置されていない場所を通過して避難することも考えられるので、上記のような照明器具は懐中電灯として使用できることが望ましい。
【０００６】
本発明は、上記事由に鑑みて為されたものであり、その目的は、二次電池を電源とする懐中電灯として使用可能な照明器具を提供することにある。
【課題を解決するための手段】
【０００７】
本発明の照明器具は、電気的な光源と二次電池とを有する電池ブロックと、前記電池ブロックが着脱自在に接続される固定ブロックとを備え、前記固定ブロックは、交流電力が外部から入力されていて且つ前記電池ブロックが接続されている期間中は前記二次電池を充電する充電回路と、前記充電回路への前記交流電力の入力が停止されていて且つ前記電池ブロックが接続されている期間中は前記二次電池を電源として前記光源を点灯させる切替回路とを有し、前記電池ブロックに着脱自在に接続され前記二次電池を電源として前記光源を点灯させる代替ブロックを備えることを特徴とする。
【０００８】
本発明の別の照明器具は、電気的な光源と、二次電池を有する電池ブロックと、前記電池ブロックが着脱自在に接続される固定ブロックと、前記電池ブロックに着脱自在に接続される代替ブロックとを備え、前記固定ブロックは、交流電力が外部から入力されていて且つ前記電池ブロックが接続されている期間中は前記二次電池を充電する充電回路と、前記充電回路への前記交流電力の入力が停止されていて且つ前記電池ブロックが接続されている期間中は前記二次電池を電源として前記光源を点灯させる切替回路とを有し、前記代替ブロックは、前記電池ブロックに接続された状態で前記二次電池を電源として点灯する代替光源を有することを特徴とする。
【０００９】
上記の照明器具において、前記固定ブロックは、前記充電回路と前記切替回路とを保持し前記電池ブロックが前記充電回路と前記切替回路とに接続された状態で収納される収納凹部を有するベースと、前記収納凹部に対する前記電池ブロックの出し入れを可能とする開位置と前記収納凹部からの前記電池ブロックの脱落を禁止する閉位置との間で前記ベースに対して変位可能なカバーと、光源の光を少なくとも減衰させる材料からなり前記カバーが閉位置にあるときには前記収納凹部内に収納され前記カバーが開位置にあるときに前記収納凹部内から突出する遮光体とを有することが望ましい。
【００１０】
また、上記の照明器具において、前記固定ブロックは、前記充電回路と前記切替回路とを保持し前記電池ブロックが前記充電回路と前記切替回路とに接続された状態で収納される収納凹部を有するベースと、前記収納凹部に対する前記電池ブロックの出し入れを可能とする開位置と前記収納凹部からの前記電池ブロックの脱落を禁止する閉位置との間で前記ベースに対して変位可能なカバーとを備え、前記代替ブロックは、前記電池ブロックとともに前記収納凹部内に収納可能な寸法形状とされていることが望ましい。
【発明の効果】
【００１１】
本発明によれば、固定ブロックから取り外された電池ブロックに代替ブロックを接続したものを、二次電池を電源として光源又は代替光源を点灯させる懐中電灯として使用することができる。
【図面の簡単な説明】
【００１２】
【図１】（ａ）（ｂ）はそれぞれ本実施形態を示す回路ブロック図であり、（ａ）は電池ブロックに固定ブロックが接続された状態を示し、（ｂ）は電池ブロックに代替ブロックが接続された状態を示す。
【図２】同上を示す分解斜視図である。
【図３】同上を示す斜視図である。
【図４】同上の要部を示す分解斜視図である。
【図５】同上の変更例における代替ブロックを示す回路図である。
【図６】図５の例における代替ブロックを示す斜視図である。
【図７】（ａ）（ｂ）はそれぞれ同上の更に別の変更例を示す説明図であり、（ａ）はカバーが閉位置にある状態を示し、（ｂ）はカバーが開位置にある状態を示す。
【図８】同上の別の変更例を示す説明図である。
【図９】図８の例における代替ブロックを示す斜視図である。
【発明を実施するための形態】
【００１３】
以下、本発明を実施するための最良の形態について、図面を参照しながら説明する。
【００１４】
本実施形態は、図１に示すように、電気的な光源１１と二次電池１２とを有する電池ブロック１と、電池ブロック１が着脱自在に接続される固定ブロック２と、電池ブロック１に対し固定ブロック２の代わりに着脱自在に接続される代替ブロック３とを備える。
【００１５】
固定ブロック２は、電池ブロック１が接続された状態で光源１１と二次電池１２とに電気的に接続される回路部２１を有する。また、固定ブロック２は、天井材８に設けられた埋込穴８０（図７参照）に埋込配設されるものである。回路部２１は、天井材８と造営材（図示せず）との間に設けられた配線スペースに敷設された電線（図示せず）などを介して外部の交流電源７に電気的に接続される。
【００１６】
また、回路部２１は、交流電源７から交流電力が入力されていて且つ電池ブロック１が接続されている期間中は二次電池１２を充電する充電回路と、光源１１と二次電池１２との間の通電をオンオフする切換回路とを有する。電池ブロック１が固定ブロック２に接続されている状態では、切替回路は、充電回路への交流電力の入力が停止されている期間中は上記の通電をオンすることで二次電池１２を電源として光源１１を点灯させる。また、切替回路は、交流電源７から充電回路に交流電力が入力されている期間中は上記の通電をオフする。上記の充電回路は、例えば、交流電源７から入力された交流電力を適宜電圧の直流電力に変換して二次電池１２に出力する周知の直流電源回路からなる。また、上記の切替回路は、例えば、交流電源７から充電回路への通電がない期間中にのみオンされて光源１１と二次電池１２との間の電路を構成する周知のｂ接点型の電磁リレーからなる。さらに、回路部２１は、交流電源７から充電回路への給電路を手動操作により一時的に遮断して模擬的な停電状態とする検査用スイッチや、二次電池１２の充電状況を発光ダイオードや液晶パネルといった適宜の表示手段で表示する充電表示部を備えていてもよい。
【００１７】
また、固定ブロック２は、図２及び図３に示すように、回路部２１が収納された収納凹部４０を有し収納凹部４０の開口を下方に向けて埋込配設されるベース４と、ベース４の下側に結合するカバー５とを有する。以下、上下方向は、施工が完了した状態での上下方向を基準として説明する。
【００１８】
ベース４は、軸方向を上下方向に向け収納凹部４０が下方に開口した有底円筒形状のベース本体４１と、ベース本体４１を径方向に挟む両側にそれぞれ設けられてベース本体４１に対し軸方向に平行移動可能な取付金具４２とを有する。ベース４は取付金具４２が天井材８の上面に当接することで下方への脱落を防止されるものであって、取付金具４２の下端とベース本体４１の下端との距離が天井材８の厚さに一致するように、取付金具４２の位置は予め調整される。
【００１９】
カバー５は、全体として厚さ方向を上下方向に向けた円板形状であって光源１１を露出させる形で収納凹部４０を覆うカバー本体５１と、カバー本体５１の上面において水平方向での一端部ずつにそれぞれ連結された２個の取付ばね５２とを備える。取付ばね５２は、カバー本体５１の径方向の外側に向かって上方へ傾斜しており、この傾斜の角度を大きくする方向に弾性的に変位可能となっている。そして、カバー本体５１の周縁部と取付ばね５２との間に天井材８が弾性的に挟持されることで、カバー５は天井材８に対して固定される。施工が完了した状態では、下方から見て埋込穴８０の内周面とベース４との間の隙間はカバー本体５１によって覆われる。さらに、カバー本体５１の下面には球面状の凹部５１０が設けられ、凹部５１０の底面には光源１１が挿通される光源挿通穴５１１が設けられている。上記凹部５１の内面は、例えば研磨されて光源１１の光を反射することにより、光源１１の光を配光する。
【００２０】
ここで、図４に示すように、光源１１は例えばハロゲン電球のように直流電力で点灯可能なものであって、一対のピン端子１１ａを有し、このピン端子１１ａ間に通電されることによって発光する。また、電池ブロック１は、全体として軸方向を上下方向に向けた半円柱形状のハウジング１０を有する。ハウジング１０の下端面には光源１１の各ピン端子１１ａがそれぞれ図４に矢印Ａ１で示すように挿入接続されるソケット１３が設けられている。ソケット１３は、光源１１のピン端子１１ａに一対一に接触導通する一対の接触子１３ａを有する。
【００２１】
また、電池ブロック１は、上記の接触子１３ａに一対一に電気的に接続された一対の光源端子１４ａ，１４ｂと、二次電池１２の一端ずつに電気的に接続された一対の電池端子１４ｃ，１４ｄとを有する。電池ブロック１のハウジング１０において平面形状の側面の下端部にはコネクタ部１４が他の部位よりも水平方向に突出する形で設けられており、上記の各端子１４ａ〜１４ｄは、それぞれ、上方に露出する形でコネクタ部１４に保持されている。
【００２２】
さらに、回路部２１は、固定ブロック２に電池ブロック１が接続された状態で上記の各端子１４ａ〜１４ｄに一対一に接触導通する接触子２１ａ〜２１ｄを有する。ここで、上記の接触導通が維持される形で電池ブロック１を固定ブロック２に機械的に結合させる方法としては、嵌合や凹凸係合といった周知の方法を用いることができる。
【００２３】
代替ブロック３は、図４に矢印Ａ２で示すように電池ブロック１に接続された状態で電池ブロック１の各端子１４ａ〜１４ｄに一対一に接触導通する接触子３１ａ〜３１ｄを有する。上記の接触導通が維持される形で代替ブロック３を電池ブロック１に機械的に結合させる方法としては、嵌合や凹凸係合といった周知の方法を用いることができる。代替ブロック３において、光源端子１４ａ，１４ｂに接触導通する各接触子３１ａ，３１ｂは、それぞれ、電池端子１４ｃ，１４ｄに接触導通する接触子３１ｃ，３１ｄに対し一対一に電気的に接続されている。すなわち、代替ブロック３が電池ブロック１に接続された状態では、光源１１に対し二次電池１２から代替ブロック３を介した給電が行われ、これによって光源１１が点灯する。
【００２４】
上記構成によれば、固定ブロック２から取り外された電池ブロック１に代替ブロック３を接続したものを、二次電池１２を電源として光源１１を点灯させる懐中電灯として使用することができる。
【００２５】
なお、光源１１と二次電池１２とでグランドを共有する場合、端子１４ａ〜１４ｄや接触子２１ａ〜２１ｄ，３１ａ〜３１ｄの個数は３個ずつとすることも可能である。
【００２６】
または、図５及び図６に示すように、電池ブロック１に接続された状態で二次電池１２から給電されて点灯する電気的な光源からなる代替光源３２を、代替ブロック３に設けてもよい。代替光源３２としては例えば発光ダイオードを用いることができる。図５及び図６の例では、代替ブロック３は、接触子３１ｃ，３１ｄとして、電池端子１４ｃ，１４ｄに接触導通するもののみを有しており、代替ブロック３が接続された状態では電池ブロック１の光源１１は点灯されない。この構成を採用すれば、固定ブロック２から取り外された電池ブロック１に代替ブロック３を接続したものを、二次電池１２を電源として代替光源３２を点灯させる懐中電灯として使用することができる。また、代替光源３２として、光源１１よりも消費電力が少ないものを用いた場合には、図１の例のように光源１１をそのまま用いる場合に比べ、二次電池１２の消耗が抑えられるから、より長時間の点灯が可能となる。上記の場合において、光源１１は固定ブロック２に接続されていてもよく、この場合には光源端子１４ａ，１４ｂ及びこれに対応する接触子２１ａ，２１ｂは省略される。
【００２７】
さらに、図７に示すように、カバー５が開かれて電池ブロック１の取外しが可能な状態（つまり、カバー５が開位置にある状態）で収納凹部４０内から突出して光源１１の光を遮る遮光体６を設けてもよい。図７の遮光体６は、平板形状であって一端が電池ブロック１の下端に枢着された第１遮光板６１と、第１遮光板６１の他端に一端が枢着された平板形状の第２遮光板６２とからなる。図７（ａ）のようにカバー５が収納凹部４０を閉塞して電池ブロック１の取外しが不可能な状態（つまりカバー５が閉位置にある状態）では遮光体６は遮光板６１，６２同士が互いに重なるように折りたたまれた形で収納凹部４０内に収納される。また、図７（ｂ）のようにカバー５が開位置にある状態では、遮光体６は自重によって展開し、収納凹部４０から下方へ突出する。このとき、使用者が、光源１１に対し遮光体６を挟んだ反対側（図７（ｂ）での左側）にいれば、使用者は光源１１の光を直視せずにすむから、遮光体６がない場合に比べて電池ブロック１の取外しを比較的に行いやすくなる。遮光体６は不透明な（つまり光源１１の光を通さない）材料で構成されていてもよいが、遮光体６の材料が透光性を有していても光源１１の光を減衰させるならば使用者を光源１１の直射光から保護する効果はある。
【００２８】
上記各種の代替ブロック３は、通常は電池ブロック１とともに収納凹部４０内に収納されることが望ましい。具体的な代替ブロック３の配置場所としては、例えば、電池ブロック１の上側や、図８に示すような電池ブロック１や回路部２１とカバー５との間の隙間などが考えられる。図８のようにカバー５の上側に代替ブロック３が配置される場合、代替ブロック３には例えば図９に示すようにカバー５との干渉を避けるための凹部３３が設けられる。
【符号の説明】
【００２９】
１  電池ブロック
２  固定ブロック
３  代替ブロック
４  ベース
５  カバー
６  遮光体
１１  光源
１２  二次電池
２１  回路部（充電回路と切替回路とを含む）
【図１】
2013218854.tif 000003
【図２】
2013218854.tif 000004
【図３】
2013218854.tif 000005
【図４】
2013218854.tif 000006
【図５】
2013218854.tif 000007
【図６】
2013218854.tif 000008
【図７】
2013218854.tif 000009
【図８】
2013218854.tif 000010
【図９】
2013218854.tif 000011